Podtech/llm-jp-corpus-v4-ja_patent huggingface dataset:
(57)【要約】【課題】録音及び翻訳機能を有する無線オーディオ応用装置を提供する。【解決手段】録音及び翻訳機能を有する無線オーディオ応用装置は録音回路２０、再生回路３０、音声翻訳回路４０、無線連接回路５０、パワーアンプ回路６０と電池管理回路７０を相互に結合し、回路板１０上に設置することで、即時音声録音再生、即時多国語翻訳、音楽再生及び無線伝送等機能を実現でき、人々の生活と仕事に極めて大きな利便性をもたらすことができる。【選択図】図１
0003212884.tif 000002
【実用新案登録請求の範囲】
【請求項１】
録音及び翻訳機能を有する無線オーディオ応用装置であって、回路板、前記回路板上に設置される録音回路、再生回路、音声翻訳回路、無線連接回路、パワーアンプ回路と電池管理回路を有し、
前記録音回路と再生回路とは、相互に連接し、録音再生モジュールを形成し、
前記録音回路、音声翻訳回路とパワーアンプ回路とは、相互に連接し、音声識別及び翻訳モジュールを形成し、
前記録音回路、音声翻訳回路、無線連接回路とパワーアンプ回路とは、相互に連接し、モバイル端末と音声インタラクティブが可能な音声インタラクティブモジュールを形成する
ことを特徴とする、
録音及び翻訳機能を有する無線オーディオ応用装置。
【考案の詳細な説明】
【技術分野】
【０００１】
本考案は電子設備領域の技術に関し、特に録音及び翻訳機能を有する無線オーディオ応用装置に関する。
【背景技術】
【０００２】
外国旅行或いは外国へ家族を訪ねる、またはビジネスや貿易でコミュニケーションをとる必要がある場合には、言語が通じないという問題があり、行動と生活に多くの不便を来たしている。
これら問題に対して、通常は、通訳を雇いコミュニケーションをとるが、通訳を雇うには多くの費用がかかる。
【０００３】
この問題を解決するため、スマートフォンを応用した翻訳が開発されている。
しかし、これらスマートフォンアプリはインターネットが必要で、しかもこれら翻訳は二つの設備間の独立した対応を行うことはできず、音声識別においては、識別精度が高くない、という欠点がある。
これにより、機密性を保持できず、またはスマート化が実現できないいう問題が存在する。
【０００４】
電子辞書のように、キーボード入力により、翻訳しようとする文字を得る方式もある。
しかし、キーボード入力には時間がかかり、翻訳したい言語文字に直面した時に、正確に入力することは非常に難しい。
【考案の概要】
【考案が解決しようとする課題】
【０００５】
前記先行技術には、スマートフォンアプリはインターネットが必要で、また二つの設備間の独立した翻訳ができず、さらに音声識別の精度が低く、キーボード入力による翻訳は、キーボード入力には時間がかかり、正確な入力も非常に難しい欠点がある。
【課題を解決するための手段】
【０００６】
本考案は録音回路、再生回路、音声翻訳回路、無線連接回路、パワーアンプ回路と電池管理回路を相互に結合し、回路板上に設置することで、多国語翻訳及び無線オーディオ再生等機能を実現する録音及び翻訳機能を有する無線オーディオ応用装置に関する。
【０００７】
本考案による録音及び翻訳機能を有する無線オーディオ応用装置は、回路板、該回路板上に設置される録音回路、再生回路、音声翻訳回路、無線連接回路、パワーアンプ回路と電池管理回路を有する。
該録音回路と再生回路とは、相互に連接し、録音再生モジュールを形成する。
該録音回路、音声翻訳回路とパワーアンプ回路とは、相互に連接し、音声識別及び翻訳モジュールを形成する。
該録音回路、音声翻訳回路、無線連接回路とパワーアンプ回路とは、相互に連接し、モバイル端末と音声インタラクティブが可能な音声インタラクティブモジュールを形成する。
【０００８】
本考案と既存の技術とを比較すると、以下の長所を有する。
本考案は、録音回路、再生回路、音声翻訳回路、無線連接回路、パワーアンプ回路と電池管理回路を相互に結合し、回路板上に設置することで、即時音声録音再生、即時多国語翻訳、音楽再生及び無線伝送等機能を実現でき、従来の翻訳方式における各種言語間の交流が困難であったという問題を解決でき、人々の生活と仕事に極めて大きな利便性をもたらすことができる。
【図面の簡単な説明】
【０００９】
【図１】本考案の応用装置の原理模式図である。
【考案を実施するための形態】
【００１０】
（一実施形態）
図１に示す通り、録音及び翻訳機能を有する無線オーディオ応用装置は、回路板１０、回路板１０上に設置される録音回路２０、再生回路３０、音声翻訳回路４０、無線連接回路５０、パワーアンプ回路６０と電池管理回路７０を有する。
【００１１】
録音回路２０と再生回路３０とは、相互に連接し、録音再生モジュール８０を形成し、録音再生モジュール８０は、音声に対する多段階録音保存と再生を実現できる。
録音回路２０、音声翻訳回路４０とパワーアンプ回路６０とは、相互に連接し、音声識別及び翻訳モジュール９０を形成する。
音声識別及び翻訳モジュール９０は、多種の言語に対して識別を行い、必要な言語に翻訳し、再生する。
録音回路２０、音声翻訳回路４０、無線連接回路５０とパワーアンプ回路６０とは、相互に連接し、モバイル端末と音声インタラクティブが可能な音声インタラクティブモジュール１００を形成する。
無線連接回路５０中には、モバイル端末と無線インターネットを行うＷＩＦＩチップ５１とブルートゥースチップ５２を有する。
音声インタラクティブモジュール１００は、モバイル端末との無線インターネットを実現し、音声インタラクティブ、即時音声録音、即時多国語翻訳、音楽再生等を行うことができる。
【００１２】
電池管理回路７０は、充電可能な電池７１を有する。
電池管理回路７０は、本装置の電源を自主的に科学管理でき、電池７１は充電機能を発揮し、電池７１を保護する。
電池７１の使用状態に応じて、使用者に適した提示を行い、しかも繰り返し使用できるため、環境保護特性を備える。
【００１３】
説明を要する点は、正常使用状況下では、上述の即時音声録音、即時多国語翻訳及び音楽再生機能は、多種の機能間で自由に切り換えられるため、使用の利便性が高いということである。
【００１４】
本考案の設計の重点は、以下の通りである。
録音回路、再生回路、音声翻訳回路、無線連接回路、パワーアンプ回路と電池管理回路を相互に結合し、回路板上に設置することで、即時音声録音再生、即時多国語翻訳、音楽再生及び無線伝送等機能を実現でき、従来の言語交流における困難を解決し、人々の生活と仕事に極めて大きな利便性をもたらすことができる。
【００１５】
前述した本考案の実施形態は本考案を限定するものではなく、よって、本考案により保護される範囲は後述される実用新案登録請求の範囲を基準とする。
【符号の説明】
【００１６】
１０  回路板、
２０  録音回路、
３０  再生回路、
４０  音声翻訳回路、
５０  無線連接回路、
５１  ＷＩＦＩチップ、
５２  ブルートゥースチップ、
６０  パワーアンプ回路、
７０  電池管理回路、
７１  電池、
８０  録音再生モジュール、
９０  音声識別及び翻訳モジュール、
１００  音声インタラクティブモジュール。
【図１】
0003212884.tif 000003
(57)【要約】      （修正有）【課題】住宅気密テープを角張りのために貼るときに、住宅気密テープを貼った先端と貼り終わった後端のずれが生じにくくなり、職人たちが何度も貼りなおす必要もなくなり、作業時間の短縮を可能にするとともに、二人で作業する等効率の悪さを改善することができる角張り用粘着テープを提供する。【課題手段】住宅気密テープにおいて、両面剥離紙１にセンター線３を裏スリッターにて形成し、裏スリッターを、ミシン目の形状にし、両面剥離紙１のセンター線３を中心にして左右を明確に区別するため、色分けして印刷し、左右どちらかの面に矢印等の記号を印刷する。【選択図】図２
0003212810.tif 000002
【実用新案登録請求の範囲】
【請求項１】
住宅気密テープにおいて、両面剥離紙にセンター線をウラスリ（裏スリッター）することを特徴とする角張り用粘着テープ。
【請求項２】
請求項１の角張り用粘着テープにおいて、ウラスリ（裏スリッター）を、ミシン目の形状にしたことを特徴とする角張り用粘着テープ。
【請求項３】
請求項１及び請求項２の角張り用粘着テープにおいて、両面剥離紙のセンター線を中心にして左右を明確に区別するため、色分けして印刷することを特徴とする角張り用粘着テープ。
【請求項４】
請求項１及び請求項２の角張り用粘着テープにおいて、両面剥離紙のセンター線を中心にして左右を明確に区別するため、左右どちらかの面に矢印等の記号を印刷することを特徴とする角張り用粘着テープ。
【考案の詳細な説明】
【技術分野】
【０００１】  この考案は住宅気密テープに関するものである。
【背景技術】
【０００２】  従来この種の住宅気密テープは、住宅の角張り用の粘着テープとして、ゴム製樹脂からウレタン製樹脂の粘着剤を使用して取り扱いが容易になってきたが、住宅気密テープを角張りのために貼るときに住宅気密テープを貼った先端と貼り終わった後端にずれが生じ、職人たちが何度も貼りなおしたりして時間がかかったり、二人で作業したりして効率が悪かった。
また、特開２００３−２９２９１３において、住宅建材、家電、自動車部品や一般的な構造物の接着固定分野に於いて、優れた接着強度を示す両面テープを使用し、貼り合わせ作業時に問題となる位置調整作業を、貼り合わせ面が水平面、垂直面を問わず容易とし、接着後は強固に接着固定することが可能である両面粘着テープが開示されている。
【考案の開示】
【考案が解決しようとする課題】
【０００３】    こうした中で、実際に職人たちが住宅気密テープを取り扱う際に、効率よく容易に貼れる住宅気密テープが存在しなかった。
また、特開２００３−２９２９１３は、非粘着もしくは微粘着の網状マスキング材が設けられているだけであり、実際に職人たちが住宅気密テープを取り扱う際に、効率よく容易に貼れる住宅気密テープを考案する必要がある。
【課題を解決するための手段】
【０００４】    本考案は、上記の課題を解決するために考案したもので、▲１▼住宅気密テープにおいて、両面剥離紙にセンター線をウラスリ（裏スリッター）すること、▲２▼ウラスリ（裏スリッター）を、ミシン目の形状にしたこと、▲３▼両面剥離紙のセンター線を中心にして左右を明確に区別するため、色分けして印刷すること、及び▲４▼左右どちらかの面に矢印等の記号を印刷する角張り用粘着テープを提供するものである。
【考案の効果】
【０００５】  本考案により、住宅気密テープを角張りのために貼るときに、住宅気密テープを貼った先端と貼り終わった後端のずれが生じにくくなり、職人たちが何度も貼りなおす必要もなくなり、作業時間の短縮を可能にするとともに、二人で作業する等効率の悪さを改善することができる。
【考案を実施するための最良の形態】
【０００６】  以下、本考案の角張り用粘着テープにおける最良の形態について、図面を参照して説明する。
【実施例１】
【０００７】  図１は、従来の住宅気密テープを示す斜視図である。１は両面剥離紙、２は粘着剤である。【０００８】  図２は、両面剥離紙にセンター線をウラスリ（裏スリッター）した角張り用粘着テープを示す斜視図である。１は両面剥離紙、２は粘着剤、３はウラスリ（裏スリッター）したセンター線である。【０００９】  図３は、両面剥離紙のウラスリ（裏スリッター）を、ミシン目の形状にした角張り用粘着テープを示す斜視図である。１は両面剥離紙、２は粘着剤、４はウラスリ（裏スリッター）をミシン目にしたセンター線である。【００１０】  図４は、両面剥離紙のセンター線を中心にして左右を明確に区別するため、両面剥離紙を色分けして印刷した角張り用粘着テープの斜視図である。１は両面剥離紙、２は粘着剤、３はウラスリ（裏スリッター）したセンター線、５は色を塗った片面である。【００１１】  図５は、両面剥離紙のセンター線を中心にして左右を明確に区別するため、片面に矢印等の記号を印刷した角張り用粘着テープの斜視図である。１は両面剥離紙、２は粘着剤、３はウラスリ（裏スリッター）したセンター線、６は矢印等の記号を印刷した片面である。【００１２】    図６は図２及び図３におけるＡ−Ａ断面図である。１は両面剥離紙、２は粘着剤、３はウラスリ（裏スリッター）したセンター線又はウラスリ（裏スリッター）をミシン目にしたセンター線である。
【産業上の利用可能性】
【０００９】    本考案により、住宅気密テープを角張りのために貼るときに、住宅気密テープを貼った先端と貼り終わった後端のずれが生じにくくなり、職人たちが何度も貼りなおす必要もなくなり、作業時間の短縮を可能にするとともに、二人で作業する等効率の悪さを改善することができるため、顧客満足度や市場の要求が高まることが予想され、産業上の利用可能性が極めて高いものである。
【図面の簡単な説明】
【図１】  従来の住宅気密テープを示す斜視図である。
【図２】  両面剥離紙にセンター線をウラスリ（裏スリッター）した角張り用粘着テープを示す斜視図である。
【図３】  両面剥離紙のウラスリ（裏スリッター）を、ミシン目の形状にした角張り用粘着テープを示す斜視図である。
【図４】  両面剥離紙のセンター線を中心にして左右を明確に区別するため、両面剥離紙を色分けして印刷した角張り用粘着テープの斜視図である。
【図５】  両面剥離紙のセンター線を中心にして左右を明確に区別するため、片面に矢印等の記号を印刷した角張り用粘着テープの斜視図である。
【図６】  図２及び図３におけるＡ−Ａ断面図である。である。
【符号の説明】  １；両面剥離紙
２；粘着剤
３；ウラスリ（裏スリッター）したセンター線
４；ウラスリ（裏スリッター）をミシン目にしたセンター線
５；色を塗った片面
６；矢印等の記号を印刷した片面
【図１】
0003212810.tif 000003
【図２】
0003212810.tif 000004
【図３】
0003212810.tif 000005
【図４】
0003212810.tif 000006
【図５】
0003212810.tif 000007
【図６】
0003212810.tif 000008
(57)【要約】      （修正有）【課題】特定量の茶葉を１回限りの紙製カップの底部に内蔵し、カップにお湯を入れれば、濃く芳しいお茶を飲むことができるカップを提供する。【解決手段】カップは、主に筐体１により構成され、筐体１内に濾過膜２が固設され、該濾過膜２とカップ底部との間に収容室３が形成され、収容室３内に茶葉４が収容され、濾過膜２により筐体１の底部に離隔され、該濾過膜２が良好な透水性能を備える。使用時、お茶の水が順調に濾過膜２を貫通させ、茶葉４が全て収容室３内に隔てられる。収容室３の高さが１０−２０ミリメートルであり、濾過膜２と筐体１の内側壁との締結性を増強させるために、濾過膜２の周囲と筐体１の内側壁とが相互に貼付されており、濾過膜２が筐体１内で柔軟な状態となり、製品が輸送或は運搬の過程で、製品の相互押出により濾過膜２を損壊させることを防止できる。【選択図】図１
0003212831.tif 000002
【実用新案登録請求の範囲】
【請求項１】
筐体により構成され、前記筐体内に濾過膜が固設され、該濾過膜とカップ底部との間に収容室が形成され、前記収容室内に茶葉が収容されることを特徴とするカップ。
【請求項２】
前記収容室の高さが１０〜２０ｍｍであることを特徴とする請求項１に記載のカップ。
【請求項３】
前記濾過膜の周囲と筐体の内側壁とが相互に貼付されていることを特徴とする請求項１または２に記載のカップ。
【請求項４】
前記濾過膜が筐体内で柔軟な状態にあることを特徴とする請求項１または２に記載のカップ。
【考案の詳細な説明】
【技術分野】
【０００１】
本考案はカップの技術分野に関し、より具体的には湯飲みお茶碗の技術分野に関する。
【背景技術】
【０００２】
お茶中に多種抗酸化物質及び抗酸化栄養素を含有するので、人体の活性酸素の除去に一定の効果を奏するため、喫茶が、老後に助け、養生・保健の機能を備え、茶葉には更に多種のビタミン及びアミノ酸を含有し、脂肪を燃焼させ、神経興奮を増強させ、且つ消化利尿を有利にする。通常の場合には、毎日１〜２回お茶を飲み、毎回２−３ｇの茶葉を利用し、４００ｍｌの量が適当である。然し、お湯に茶を入れて飲む場合には、通常の喫茶時、茶葉の量を茶葉に入れる水量にマッチングしにくく、淡茶或は濃茶を好む習慣により随意に比例を設定するので、高品質の茶葉を採用しても、高品質のお茶を飲むことができない。お茶を入れる時、カップを持ってお茶を取ることが、十分に面倒である。また、喫茶の過程で、お茶の表面に茶葉末が浮かび、喫茶に不便をもたらす。
【考案の概要】
【考案が解決しようとする課題】
【０００３】
本考案の目的は、上記の不足を解決するために、お茶を便利に急速に入れ、喫茶が容易で、且つ各人で高品質のお茶を自在に作成できるカップを提供する。
【課題を解決するための手段】
【０００４】
本考案は、上記技術問題を解決するために、次の技術的解決方案を採用する。
【０００５】
本考案のカップは、筐体により構成され、前記筐体内に濾過膜が固設され、該濾過膜とカップ底部との間に収容室が形成され、前記収容室内に茶葉が収容される。
【０００６】
前記収容室の高さが１０−２０ｍｍである。
【０００７】
前記濾過膜の周囲と筐体の内側壁とが相互に貼付されている。
【０００８】
前記濾過膜が筐体内で柔軟な状態にある。
【考案の効果】
【０００９】
本考案は、前記技術的解決方案を採用して以下の有益な効果を果たす。
１、お茶を入れることが簡単に便利で急速になり、カップに熱湯を入れれば、飲用できる。
２、消費者の異なる好みにより異なるカップを選択でき、数十種の有名なお茶を選択できる。
３、筐体内に濾過膜が設置され、喫茶時、水面に茶葉末が浮かばない。
４、原価が安く、手ごろな価格になり、お茶及びカップの購入の煩わしさを回避し、一回で全て配置できる。
５、構造が合理的で、製品の積層収容を便利にし、包装空間を節約する。
６、茶葉量及び水量を精確な配合比例で取得し、人々が高品質のお茶を作成できる。
【図面の簡単な説明】
【００１０】
【図１】本考案による構造模式図である。
【考案を実施するための形態】
【００１１】
図１に示すように、カップは、主に筐体１により構成され、前記筐体１内に濾過膜２が固設され、該濾過膜２とカップ底部との間に収容室３が形成され、前記収容室３内に茶葉４が収容され、濾過膜２により筐体１の底部に離隔され、該濾過膜２が良好な透水性能を備え、使用時、お茶の水が順調に濾過膜２を貫通させ、茶葉４が全て収容室３内に隔てられ、喫茶を便利にし、前記収容室３の高さが１０−２０ミリメートルであり、濾過膜２と筐体１の内側壁との締結性を増強させるために、濾過膜２の周囲と筐体１の内側壁とが相互に貼付されており、前記濾過膜２が筐体１内で柔軟な状態となり、製品が輸送或は運搬の過程で、製品の相互押出により濾過膜２を損壊させることを有効に防止できる。
【００１２】
本考案は科学方法を利用して、特定量の茶葉を１回限りの紙製カップに配置し、特殊なプロセスにより加工処理された後、茶葉をカップの底部に隠して内蔵し、このため発現させることなく、カップにお湯を入れば、濃く芳しいお茶を飲むことができる。各人が高品位の享受を受ける。利便性を求め、衛生健康を渇望し、ファーストフードの時代で新しいお茶の飲み方、おもてなしをもたらす。本考案によれば、茶上げ工程の複雑さを簡単にし及び茶上げ工程を変更すると共に、茶を賞味して飲む使用者に衛生、清潔、快適な享受をもたらす。
【図１】
0003212831.tif 000003
(57)【要約】      （修正有）【課題】地唄三味線の駒の重量を増すために埋め込まれている鉛が、長年の温度変化を受け、駒本体とに出来る隙間をうめるための鉛をたたき延ばす鉛たたきハンマーを提供する。【解決手段】裏向きにした駒１を、安定した状態で置ける断面がＶ字の形をしたＶ字台３を断面がＵ形の箱４に装着し、対面するそれぞれの辺にボルト穴９を開け、一端にハンマー６を、他端に押しバネ７を固着したシーソー板５の中央に開けた穴を対面する辺面に開けたボルト穴９にボルト８を差し込み、シーソー板が自由に動ける状態にしてナットで締めつけ、シーソー板５がＶ字台３の中心線上からずれないように、パイプ１０をシーソー板５の両脇に通しておく。【選択図】図２
0003212188.tif 000002
【実用新案登録請求の範囲】
【請求項１】
裏返しにした地唄駒１を安定して置ける、断面がＶ字の形をした台３を断面がＵ形の箱４に装置し、そのＵ形の箱４の対面する両面にボルト穴９を開け、その穴を通して、片端にハンマー６をもう片方に押しバネ７を固着したシーソー板５の両脇にパイプ１０とにボルト８を通しシーソー板５が自由に動けることを特徴とする地唄駒の鉛たたきハンマー。
【考案の詳細な説明】
【技術分野】
【０００１】  本考案は地唄三味線に使う駒に関するものである。
【背景技術】
【０００２】地唄三味線に使う駒には、駒の重量を増すために金属（主に鉛）を埋め込んでいるが、駒本体の素材は主に水牛の角や象牙などで造られ、駒の底面の二箇所に円形の穴を堀りその穴にピッタリ合う鉛を接着埋め込んでいるが、駒本体と鉛では温度による膨脹、収縮率が違うため、長年温度変化を受けていると駒本体との間に微妙な隙間が出来ることがあり、その状態で演奏すると汚い雑音になり、綺麗な音で演奏する事ができない。【０００３】上記の処置対策として、鉛をたたき延ばし隙間を埋めることで対処しているが、その道具として、小さな金槌や鉄の棒などを使っているが、専用の道具が無かった。
【考案の開示】
【考案が解決しようとする課題】
【０００４】演奏者本人が、小さな鉛を金槌などで狙いたたくのは不慣れのため、駒本体をたたいたりたり、たたきが少なかったりで、鉛たたき専用の道具を造ることを課題とする。
【課題を解決するための手段】
【０００５】駒の形状は３本の三味線の糸を乗せる主要部分の断面が二等辺三角形で、底にあたる第三辺の二箇所に円形の穴を堀り、その穴にピッタリと合う鉛を接着し埋め込んでいる。【０００６】駒を裏返しにした形がＶ字であるため、駒を安定した状態で支えうる、断面がＶ字の形の台を作り、その台を断面がＵ形の箱に納め接着する。【０００７】片端にハンマーをもう片端に押しバネを固着した板をシーソー板とし、その中央にボルト穴を開け、断面がＵ形の箱の対面するそれぞれの辺にシーソー板を保持するためのボルト穴を開け、ボルトを差し込みシーソー板の中央穴に通し対面するボルト穴に通し、シーソー板が自由にうごけるようにした上でナットで締める。
【考案の効果】
【０００８】裏返した駒をＶ字形の台に乗せ、鉛面をハンマーの真下に置き、駒がずれないように手で抑え、もう片方の手でシーソー板の押しバネ部を目一杯押し下げ瞬時に離すと押しバネの反動でハンマーが鉛を正確、確実に叩き延ばすことが簡単に出来き、この一連の操作には慣れはまったく必要なく課題を解決している。
【考案を実施するための最良の形態】
【０００９】地唄駒を裏返しにしても安定した状態で置けるＶ字形の台を作り、その台を断面がＵ形ちの箱に納め接着し、その箱の合い対面する辺のそれぞれにボルト穴を開け、片端にハンマーをもう片方に押しバネをそれぞれ固着した板をシーソー板とし、その中央にボルト穴を開け、Ｕ形の対面辺の間に位置し、Ｖ字台の中心線上になるようお互いのボルト穴を合わせボルトを通しシーソー台が自由に動ける形でナットで締めつける。
【実施例】
【００１０】以下、添付図面に従って実施例を説明する。１は地唄駒本体、２は鉛、３は裏返しにした駒を安定した状態で置けるＶ字の形をした、Ｖ字台、４はＶ字台３を納めるＵ形の箱５はシーソー板、６はシーソー板の片端に固着したハンマー、７はもう片端に固着した押しバネ、９はＵ形の箱４の合い対面する辺に開けたボルト穴、８はシーソー板を保持するために通すボルト、そのボルト８には、ハンマーがＶ字の中心線上からずれないように，Ｕ字箱４の差し渡し内径−シーソー板５の厚み÷２の寸法のズレ止めパイプ１０をシーソー板５の両脇に通しておく。【００１１】本考案の実施例は上述の如き構成からなるものであるから、鉛２を打ち延ばすのに不慣れな人でも正確に簡単確実に打ち延ばすことが出来る。
【図面の簡単な説明】
【００１２】
【図１】本考案の鉛を打ち延ばしの実施例を示す正面図。
【図２】シーソー板５の押しバネ７を押し下げ瞬時に離した状態を示す側面図。
【図３】ハンマー６がＶ字台３の中心線上にあることを示す平面図。
【符号の説明】
【００１３】  １  地唄駒本体
２  鉛
３  Ｖ字台
４  Ｕ形の箱
５  シーソー板
６  ハンマー
７  押しバネ
８  ボルト
９  ボルト穴
１０  ズレ止めパイプ
１１  ナット
【図１】
0003212188.tif 000003
【図２】
0003212188.tif 000004
【図３】
0003212188.tif 000005
(57)【要約】      （修正有）【課題】ラップフィルムを引き出して使用する過程でラップ本体の直径が細くなった場合にもラップケースからラップ本体の飛び出しを防ぐとともに、ラップフィルムの巻き戻りを防ぐことができるラップケースを提供する。【解決手段】ラップケース本体に輪ゴムを掛ける溝１を設ける。設けた溝１に輪ゴムを掛けることにより、ラップ本体の飛び出しや、ラップフィルムの巻き戻り、破損を防ぐ。【選択図】図１
0003212186.tif 000002
【実用新案登録請求の範囲】
【請求項１】
ラップケース本体に輪ゴムを掛けるための溝を設けたことを特徴とするラップケース。
【考案の詳細な説明】
【技術分野】
【０００１】  本考案は、ラップフィルムを円筒状に巻き付けられたラップ本体を収容し、収容したラップ本体からラップフィルムを少しずつ引き出して使用するためのラップケースに関する。
【背景技術】
【０００２】従来より、ラップフィルムを容易に引き出すため、またはラップフィルムの巻き戻りを防ぐため、紙製のラップケースに様々な工夫がされてきたがすべての技術はラップフィルム本体が未使用の形状の太さや重さを基準に考慮されたものである。【０００３】その従来技術を要約すれば、〔図３〕１のラップケースに鍔を付けラップ本体の飛び出しを防ぐもの。〔図３〕２のラップケースにミシン目を設けた部分を使用開始時に指などで押し、ラップ本体の回転を安定させるもの。〔図３〕３のラップケースに粘着剤を張り付けラップフィルムを固定させ巻き戻りを防いだものがある。
【考案が解決しようとする課題】
【０００４】しかしながら、従来技術の〔図３〕１の構造はラップフィルムを使用してラップ本体の径が細くなり、また軽くなることで生じるラップケース内での暴れがあった場合、ラップ本体の飛び出しを防ぐ要素が下がる。また、極薄のラップフィルムをひっかけて破損する要素がある。
【０００５】従来技術の〔図３〕２はラップ本体の定位置での回転を円滑にすることと飛び出しを防ぐものではあるが、これはラップフィルム未使用時のラップ本体の径や重さを考慮した技術であり、ラップフィルムを使用してラップ本体の径が細くなり、また軽くなることで生じるラップケース内での暴れがあった場合、ラップ本体の飛び出しを防ぐ要素が下がる。また、使用開始時に〔図３〕２を押して設定する際のばらつきにより、ラップ本体の回転が円滑にいかない場合も多々ある。
【０００６】従来技術の〔図３〕３の構造は使用開始から時間を経過すると粘着表面に劣化が生じ粘着性が低くなる。また、その劣化のばらつきからラップフィルムが部分的に破損する要素がある。
【課題を解決するための手段】
【０００７】本考案は、たとえば食品などをラップするラップフィルムを収納したラップケースに関し、収納されたラップフィルムを円滑に引き出し、また、ラップ本体へのラップフィルムの巻き戻りを防ぐための輪ゴムかけの溝を構成したラップケースである。
【考案の効果】
【０００８】ラップケースに構成された輪ゴムかけ用の溝に輪ゴムを掛けることにより、ラップフィルムを引き出して使用する過程でラップ本体の直径が細くなった場合にもラップケースからラップ本体の飛び出しを防ぐとともに、輪ゴムを掛けた状態で輪ゴムの上部を這ってラップフィルムを引き出した場合、輪ゴムとラップフィルムとの間に微妙な粘着性が生じるためラップフィルムの巻き戻りを防ぐことができる。
【０００９】また、ラップフィルム引き出し時に輪ゴムが滑らかでかつ柔軟性があるためラップフィルムの破損が無い事は考案者の実験にて実証している。。
【図面の簡単な説明】
【図１】この考案を実態形態を示す左側面からの斜視図である。左右対称の為、右側面からは省く。
【図２】この考案の実施形態を示す左側面からの斜視図である。左右対称の為、右側面からは省く。
【図３】従来技術を示す斜視図である。
【考案を実施するための形態】
【００１０】  本考案の実施形態を〔図２〕に示す。ラップケースのラップ収納部の左右側面上部手前に輪ゴムを掛ける溝を設け、ラップフィルムを輪ゴムの上部に這わして引き出す。
【符号の説明】
【００１１】〔図１〕１  輪ゴムを掛ける溝
〔図３〕１  ラップ本体の飛び出しを防ぐためのラップケースの鍔
〔図３〕２  ラップ本体の回転を定位置にて保つ為のラップケースの加工部分
〔図３〕３  ラップフィルムの巻き戻りを防ぐ為、ラップケースに加工された粘着剤部分
【図１】
0003212186.tif 000003
【図２】
0003212186.tif 000004
【図３】
0003212186.tif 000005
(57)【要約】【課題】  プラスチック材等のシートよりなり、デザイン性に優れるとともに使用に便利な使い捨てカップを提供する。【解決手段】  シート基材５が型成形されて周壁部２と底部３とが一体のカップ形態の使い捨てカップにおいて、周壁部２の高さを３〜５ｃｍとするとともに周壁部２と底部３とのなす角を１１０°〜１３０°とし、周壁部２は上部にデザイン模様６が付されてなる使い捨てカップ。【選択図】図２
0003212187.tif 000002
【実用新案登録請求の範囲】
【請求項１】
シート基材が型成形されて周壁部と底部とが一体の使い捨てカップにおいて、
前記周壁部の高さを３〜５ｃｍとするとともに前記周壁部と前記底部とのなす角を１１０°〜１３０°とし、前記周壁部は上部にデザイン模様が付されてなることを特徴とする使い捨てカップ。
【考案の詳細な説明】
【技術分野】
【０００１】  この考案は、弁当箱内やパーティー等において食材を入れて用いる使い捨てカップに関する。
【背景技術】
【０００２】  例えば、弁当箱内に使用する使い捨てカップとしてはアルミホイルよりなるものが一般的であるが、アルミホイルよりなるものは単に食材を区分けして納める容器としての機能は持つものの、デザイン面において限界がある。そこで、最近では弁当箱内におかずを可愛く、美しく配置できるように、デザイン模様を有するプラスチックシート製のカップが提供されている。
【考案の概要】
【考案が解決しようとする課題】
【０００３】  この考案では、プラスチック材等のシートよりなり、デザイン性に優れるとともに使用に便利な使い捨てカップを提供することを目的とする。【０００４】  この考案では、シート基材が型成形されて周壁部と底部とが一体の使い捨てカップにおいて、前記周壁部の高さを３〜５ｃｍとするとともに前記周壁部と前記底部とのなす角を１１０°〜１３０°とし、前記周壁部は上部にデザイン模様が付されてなることを特徴とする使い捨てカップを提供する。【０００５】  上記構成の使い捨てカップは、周壁部の上部にデザイン模様が付されていることで意匠性に優れる。とくに、周壁部の高さがを３〜５ｃｍと高いので食材を入れた際にも周壁部の上部にデザイン模様が隠れることなく見えることで意匠性に優れる。周壁部と底部とのなす角が１１０°〜１３０°とされて周壁部が開き状態となっていることで、深型であっても食材が容易に取り出せるとともに、周壁部上部のデザイン模様が上方から見えやすく、この点においても意匠性に優れる。周壁部と底部とのなす角が１３０°を越えて周壁部が開きすぎると、食材が安定して収納されないとともに、平面形状が大きくなって弁当箱内において使用するのに適さない。
【考案の効果】
【０００６】  この考案によれば、デザイン性に優れるとともに使用に便利で、お弁当やパーティー等において楽しく用いられる使い捨てカップが得られる。
【図面の簡単な説明】
【０００７】
【図１】  この考案の使い捨てカップの実施形態の外観斜視図
【図２】  この考案の使い捨てカップの部分断面説明図
【考案を実施するための最良の形態】
【０００８】  図１はこの考案の使い捨てカップの実施形態の外観斜視図、図２は同部分断面説明図である。【０００９】  使い捨てカップ１は、縦方向に複数本の折り込み部４が並設されたロート状に開く周壁部２と、その下部に連続一体の略円形の底部３とからなり、全体が一枚の円形の基材シート５よりなる。使い捨てカップ１の製造は、多数枚重ねられた基材シート５が型内に納められ加熱成形されることで行われる。【００１０】  上記基材シート５は、内側ＰＥＴ樹脂フィルム８の外面に外側ＰＥＴ樹脂フィルム９が接着剤１０により貼り付けられて構成されている。内側ＰＥＴ樹脂フィルム８の内面には帯電防止剤よりなるコーティング層２０が設けられ、外面には印刷模様６と印刷層７が付されている。【００１１】  上記印刷層７は周壁部２の上部を残す部分の全体にわたって設けられ、周壁部２の上部には多数の印刷模様６が形成されている。印刷層７が、例えば全体が青色とされることで、内側と外側のＰＥＴ樹脂フィルム８、９、接着剤１０、コーティング層２０がともに透明であるので、使い捨てカップ１はその周壁部２の上部を残す部分全体が青色となって不透明部分１００となり、周壁部２の上部の透明部分１０１に印刷模様６が位置している。【００１２】  上記深型使い捨てカップ１はその高さ寸法Ｈが４．５ｃｍ程度と通常の使い捨てカップに比して高く設計されて深型となっており、周壁部２において３ｃｍ程度の高さまで印刷層７が位置して不透明部分１００となっている。また、周壁部２と底部３とのなす角Ｘを１１５°とし、周壁部２は通常の使い捨てカップに比して開き状態となっている。【００１３】  使い捨てカップ１の使用について説明する。食材Ｆは使い捨てカップ１の不透明部分１００で囲まれる部分に納められる。食材Ｆは不透明部分１００が周壁部２の３ｃｍ程度の高さまであることで不足なく納められ、かつ、不透明部分１００の上縁位置を目安として適量の食材を容易に納めることができる。食材Ｆは不透明部分１００で囲まれる部分に納められることで外面側からは見えにくく、かつ、周壁部２の透明部分１０１に印刷模様６が見えることで、見栄えが良くて意匠性に優れる。くわえて、周壁部２が開き状態となっていることで深型であっても食材が容易に取り出せるとともに、周壁部２の透明部分１０１の印刷模様６が上方から見えやすくて意匠性が高められている。【００１４】  重ね状態の上記使い捨てカップ１において１個のものを取り外す際、使い捨てカップ１どうしの密着が少なく容易に取り外せ、また、取り外した使い捨てカップ１が手に吸着することもほとんどなかった。さらに、使い捨てカップ１への埃等の付着もほとんどなかった。これらは、内側ＰＥＴ樹脂フィルム８が、帯電防止剤よりなるコーティング層２０を備えることで静電気にほとんど帯電していないことに起因すると考えられる。また、使い捨てカップ１はＰＥＴ樹脂フィルム８、９よりなる基材シート５により構成されていることで、冷凍庫、オーブンレンジ内での使用が可能である。くわえて、印刷模様６と印刷層７とがＰＥＴ樹脂フィルム８、９間に密封された状態になり食材や手に触れることがないので、衛生的にも優れる。
【符号の説明】
【００１５】  １    使い捨てカップ
２    周壁部
３    底部
５    基材シート
６    印刷模様（デザイン模様）
７    印刷層
８    内側ＰＥＴ樹脂フィルム
９    外側ＰＥＴ樹脂フィルム
【図１】
0003212187.tif 000003
【図２】
0003212187.tif 000004
(57)【要約】      （修正有）【課題】柱や板の中心点及び三分の一点を簡単に求めることが出来るスケールを提供する。【解決手段】１  中心点を測り出すスケールは、目盛り表示面の片側のＡ側には正規の目盛りを付け、もう一方のＢ側には正規の目盛りより長さの間隔が二倍の目盛りを付けた。２  三分の一の点を測り出すスケールは、目盛り表示面の片側には正規の目盛りを付け、もう一方の側には正規の目盛りより長さの間隔が三倍の目盛りを付けた。【選択図】図２
0003212184.tif 000002
【実用新案登録請求の範囲】
【請求項１】
正規の目盛りと、正規の目盛りよりも目盛りの間隔が二倍のサイズの目盛りを、先端より付けたスケール。
【請求項２】
正規の目盛りと、正規の目盛りよりも目盛りの間隔が三倍のサイズの目盛りを、先端よりつけたスケール。
【考案の詳細な説明】
【技術分野】
【０００１】本考案は、柱や板の中心点及び三分の一点を簡単に求めることが出来るスケールの提供である。
【背景技術】
【０００２】従来、建築材の柱や板を二等分又は三等分するには、スケールを使用して全長を測り、その全長を２又は３で割って中心点又は三分の一の点を求めていた。
【考案の概要】
【考案が解決しようとする課題】
【０００３】柱や板の長さを二等分又は三等分すときは、まずその全長を測る、その数字が簡単に２又は３で割れる数字であれば問題はないですが、中には暗算では簡単に割れ切れないない場合もあります、その場合柱や板材の中心点及び三分の一の点の墨を付けるのに、筆算又は計算機で計算するという余計な手間がかかってしまいます。
計算しないで中心点及び三分の一の点を測り出すスケールの提供である。
【課題を解決するための手段】
【０００４】１    中心点を測り出すスケールには、スケールの目盛り表示面に二種類の目盛りを付けた。  図２に示す様にスケールの目盛り表示面のＡ側には、正規の目盛を付け、もう一方のＢ側には正規の目盛りより長さの間隔が二倍の目盛りを付けた。
２    三分の一の点を測り出すスケールには、Ａ側には正規の目盛りを付け、Ｂ側には正規の目盛りの三倍大の目盛りを付ければよい。
３    表示目盛りはセンチ尺、インチ尺、寸尺、どの表示でもよい。
【考案の効果】
【０００５】本考案のスケールを使用して、板材の中心点の測り出しを行ってみたら、板材の全長を２で割る計算をしなくてもいいので、簡単に素早く中心点を測り出す事が出来た。三分の一の点の測り出しも行ってみたら板材の全長を３で割る計算をしなくてもいいので、簡単に素早く三分の一の点を測り出す事が出来た。
【図面の簡単な説明】
【０００６】
【図１】  本考案のスケール。
【図２】  本考案の中心点を測り出すスケールの目盛り
【図３】  本考案の三分の一の点を測り出すスケールの目盛り。
【図４】  本考案のスケールで中心点を測り出すときの使用法である。
【図５】  本考案のスケールで三分の一の点を測り出すときの使用法である。
【考案を実施するための形態】
【０００７】１  図２に示す様に、スケールのＡ側に正規の目盛りを付け、Ｂ側にはＡ側の二倍の大きさの目盛りを付けた。
２  図３に示す様に、スケールのＡ側に正規の目盛りを付け、Ｂ側にはＡ側の三倍の大きさの目盛りを付けた。
【実施例】
【０００８】１  図４に示す様に、板材Ｃの中心点を求めるには板材の全長を図２のスケールのＢ側の目盛りでＤ点を読み取り、Ａ側の同じ数の目盛りのところのＥ点に墨付けをすれば此れが求める中心点である。
２  図５に示す様に、板材の三分の一の点を測り出すには、板材Ｃの全長を図３のスケールのＢ側の目盛りでＤ点を読み取り、Ａ側の同じ数の目盛りのところＥ点に墨付けをすれば、此れが求める三分の一の点である。
【符号の説明】
【０００９】Ａ    スケールの目盛り表示面の半分の面。
Ｂ    スケールの目盛り表示面の半分の面。
Ｃ    板材。
Ｄ    板材の端。
Ｅ    板材の墨付け点。
【図１】
0003212184.tif 000003
【図２】
0003212184.tif 000004
【図３】
0003212184.tif 000005
【図４】
0003212184.tif 000006
【図５】
0003212184.tif 000007
(57)【要約】      （修正有）【課題】スコップの柄にワンタッチで着脱できる補助柄を設けたワンタッチ着脱補助柄付スコップを提供する。【解決手段】補助柄２の先に、二又バネのオス金具３を設け、主柄１の根元にメス金具４を固定する。主柄１のＴ字型握柄７は縦型に、補助柄２のＴ字型握柄７は横型にした。【選択図】図１
0003212156.tif 000002
【実用新案登録請求の範囲】
【請求項１】
補助柄の先に、二又バネのオス金具を設け、スコップの主柄の根元にメス金具を固定する。主柄のＴ字型握柄は縦型に、補助柄のＴ字型握柄は横型にしたことを特徴としうる、ワンタッチ着脱補助柄付スコップ
【考案の詳細な説明】
【技術分野】
【０００１】本考案は、スコップの柄にワンタッチで着脱できる補助柄を設けたスコップの柄に関するものである
【背景技術】
【０００２】従来に於て、ワンタッチで着脱できる補助柄のスコップはなかった。
【考案開示】
【０００３】そのために以下の問題点があった。
（イ）世の中に、補助柄の付いたスコップがあるとすれば、ナットやネジで個定しているのでスパナーやプライヤーの道具が必要である。又、チョウネジ等、使用の場合は付属品が問題である。
【課題を解決するための手段】
【０００４】スコップの主柄に装着する補助柄の取り付け部分を、バネ杖オス金具にする。主柄にメス金具を装着する。
【考案の効果】
【０００５】そのことにより補助柄外す際に、一切道具を必要としない。
補助柄は瞬時に外すことができる。
【考案を実施するための最良の形態】
【０００６】以下本考案の実施の形態について説明する
（イ）補助柄（２）の先に二又のバネ設け、先端をオス金具に形成する。
（ロ）主柄（１）の先の部分にメス金具（４）を固定する。
（ハ）スコップ（５）の刃先を三角に形成する。
（ニ）握り部分（７）をＴ字型にする。
【図面の簡単な説明】
【０００７】
【図１】本考案斜視図
【図２】本考案の補助柄とメス金具取り付け図
【図３】本考案のオス金具とメス金具
【符号の説明】
【０００８】    （１）主柄
（２）補助柄
（３）二又バネオス金具
（４）メス金具
（５）スコップ本体
（６）三角の刃
（７）Ｔ字型握柄
（８）メス金具、移動及び固定時の穴
【図１】
0003212156.tif 000003
【図２】
0003212156.tif 000004
【図３】
0003212156.tif 000005
【手続補正書】
【提出日】平成29年6月14日(2017.6.14)
【手続補正１】
【補正対象書類名】実用新案登録請求の範囲
【補正対象項目名】全文
【補正方法】変更
【補正の内容】
【実用新案登録請求の範囲】
【請求項１】
補助柄の先に設けた二又バネのオス金具を、スコップの主柄の根元に設けたメス金具に固定し、主柄のＴ字型握柄は縦型にし、補助柄のＴ字型握柄は横型にしたことを特徴とする、ワンタッチ着脱補助柄付スコップ。
(57)【要約】      （修正有）【課題】猫が抱きやすく爪を立てられ、登りやすい猫の梯子を提供する。【解決手段】筒状で網状の猫４の爪が引っかかりやすい部材３で形成された猫の梯子である。【選択図】図１
0003212152.tif 000002
【実用新案登録請求の範囲】
【請求項１】
猫が高所に登る習性を利用し、猫が足と爪を利用し筒状または網状のものを登り高所に至る猫の梯子
【考案の詳細な説明】
【技術分野】
【０００１】猫が高所に登るための梯子に関するものである。
【背景技術】
【０００２】従来の猫の梯子は、例えば家の屋根や樹木に登る際に使用する一般的な梯子を使用している。
【考案の概要】
【考案が解決しようとする課題】
【０００３】上記の述べた従来の梯子だと猫が登りにくかった。
【課題を解決するための手段】
【０００４】本考案は、猫が高所に登る習性を利用し、猫が足と爪を利用し、筒状の布や網を抱くように爪を引っ掛けて登るにしたことで、問題点を解決している。
【考案の効果】
【０００５】本構造のため、猫の昇り降りが容易で、最近のマンション住まいにおける猫の運動不足の解消にも役立つ。従来の様に、他の物を踏み台にし、周りの物を蹴散らすこともなくなった。又実験をしたところ猫は日に数回上下し、実用的であることがわかった。
【図面の簡単な説明】
【０００６】
【図１】本考案の実施形態を示す。猫が梯子を登っている状態を表す図。
【図２】本考案の筒状の断面図を表し、この場合網の場合を表している。
【図３】飾り釘等（兼デコレーション）で猫の梯子の上部を固定。
【考案を実施するための形態】
【０００７】１．  この部分は和室の付け鴨居▲１▼等の木部である。
２．  ここに釘又は飾り釘等で筒状のネットを固定し、猫の体重及び昇り    り下りの衝撃に耐えうるようにする。
３．  筒状でネット▲３▼など爪の引っかかりやすいものを使い、猫が抱きかかえるように爪をつかって登る習性を利用する。
４．  登っていく猫▲４▼を描いたものである。
５．  猫は高所に住みたいと言う習性があり、猫を収容する空間が必要であり、和室の天袋や棚の上▲５▼等が利用できる。
【符号の説明】
【０００８】１    付け鴨居等▲１▼
２．  木部に梯子を飾釘等で固定。▲２▼
３．  筒状でネットなど爪の引っかかりやすいもの。▲３▼
４．  猫▲４▼
５    天袋又は棚などに登った猫を収容。▲５▼
６．  飾り釘▲６▼
７．  本案▲３▼部分の断面図
【図１】
0003212152.tif 000003
【図２】
0003212152.tif 000004
【図３】
0003212152.tif 000005
【手続補正書】
【提出日】平成29年1月20日(2017.1.20)
【手続補正１】
【補正対象書類名】実用新案登録請求の範囲
【補正対象項目名】全文
【補正方法】変更
【補正の内容】
【実用新案登録請求の範囲】
【請求項１】
筒状で網状の猫の爪が引っかかりやすい部材で形成された  猫の梯子
(57)【要約】      （修正有）【課題】キャップが離れて無くなることを防止できるシャープペンシルを提供する。【解決手段】キャップ５と本体６の１部分をスライドさせても、上下に開け閉めしても、はなれないように金具やチェーン、ひも等でつなげる。【選択図】図２
0003212151.tif 000002
【実用新案登録請求の範囲】
【請求項１】
シャープペンシルのゴム・キャップ部分を、左右前後斜につなぎとめたままスライドさせる事が出来る事を特長としたなくならないはなれないキャップ
【請求項２】
シャープペンシルのゴムキャップ部分を前後、上下につなぎとめたまま開閉が出来る事を特長としたなくならないはなれないキャップ
【考案の詳細な説明】
【技術分野】
【０００１】本考案はシャープペンシルのしんを出す時に押さえるキャップなどに関するものである。
【背景技術】
【０００２】勉強や書類などを書く時に使われる、シャープペンシルには、押さえて芯を出す部分にキャップが付いていますが、とりはずしをしたあと、どこに行ったか、探さないといけない時がありました。
【考案の概要】
【考案が解決しようとする課題】
【０００３】シャープペンシルの芯を入れる時、ケシゴムやキャップを取りはずした時芯を入れる事に気を付けているとキャップを探さないといけない時は困ります。
【課題を解決するための手段】
【０００４】シャープペンシルのキャップ部分とケシゴム部分は、シャープペンシルの本体から１部分は、はなれる事がないようにして前後、左、右、斜にスライドさせる事が出来、フタを開け閉めする方法でも１部分は、はなれる事がないようにつなげておく事により決してなくならなくなります
【考案の効果】
【０００５】本考案のなくならないキャップは、
0003212151.tif 000003
フタを前後に上げ下けさせ開け閉めしても、決してはなれないようにつなげておく事により、キャップが、なくなる事がなくなり安心して使えるようになります。
【図面の簡単な説明】
【０００６】
【図１】なくならないキャップ図
【考案を実施するための形態】
【実施例】
【０００７】図１はなくならないキャップ図
【符号の説明】
【０００８】１、なくならない、はなれないキャップ  左右前後、斜にスライド
２、なくならない、はなれないゴム部分
３、本体部分
１、２、は３本体と金具や部品を付け回転させ、スライドさせる事が出来ます
チェーンやひも状の物でつなげておく事も出来ます
【図１】
0003212151.tif 000004
【手続補正書】
【提出日】平成29年2月10日(2017.2.10)
【手続補正１】
【補正対象書類名】実用新案登録請求の範囲
【補正対象項目名】全文
【補正方法】変更
【補正の内容】
【実用新案登録請求の範囲】
【請求項１】
シャープペンシルであって、キャップ部分と本体部分が回転軸をかいして接続している事を特徴とし前期記載の無くならない離れないキャップ。
【請求項２】
シャープペンシルであって回転して回転軸を混じり合わせキャップを開け閉めできる事が出来る事を特徴とした、なくならない離れないキャップ。
【手続補正３】
【補正対象書類名】明細書
【補正対象項目名】全文
【補正方法】変更
【補正の内容】
【考案の詳細な説明】
【技術分野】
【０００１】本考案は勉強する為に必要で、書類などを完成させる為にも使用するシャープペンシルに関するものである。
【背景技術】
【０００２】勉強や書類などを書く時に使われる、シャープペンシルの先端には、押さえて芯を出す部分にキャップが付いていますがキャップを取りはずしをした後、いつのまにか転がってしまい何処に行ったか探さないといけない時もありました。
【考案が解決しようとする課題】
【０００３】シャープペンシルの芯を入れる時、消しゴムやキャップを取り外して芯を入れる事に気を付けているとキャップを取り外した後にキャップにいつの間にかあたった為に移動してしまい、何処に行ったか探ても見つからない時は、見つかるまで使いずらくなくなり困ります。本考案のなくならない離れないキャップは、シャープペンシルの芯を補充する時、今までは、キャップ部分を全部外してから芯を入れる事が今までのキャップ部分をおじぎを
【課題を解決するための手段】
【０００４】シャープペンシルのキャップ部分と消しゴム部分は、シャープペンシルの本体から、一部分は離れる事がないようにして前後左右斜めに、スライドさせる事が出来、ふたを開け閉めする方法でも一部分は、離れることがないように繋げてあげることにより決して、離れずなくなりません。
【考案の効果】
【０００５】本考案のなくならない離れないキャップは、シャープペンシルのキャップ部分をスライドさせても、キャップを前後に上げ下げさせ開け閉めしても、キャップがすべて離れる事がなく、決して離れないように繋げておく部分があり、なくなる心配がなく安心して使えるようになります。
【図面の簡単な説明】
【０００６】
【図１】なくならない離れないキャップ・全体図
【図２】なくならない離れないキャップ、キャップ横から見た図
【図３】なくならない離れないキャップ底から見た図・本体上から見た図
【図４】なくならない離れないキャップ消しゴム部分を見た図
【考案を実施するための形態】
【実施例】
【０００７】図１は、なくならない離れないキャップ全体図、【０００８】図２は、なくならない離れないキャップ、キャップ横から見た図【０００９】図３は、なくならない離れないキャップ、キャップ底から見た図、本体上から見た図【０００１０】図４は、なくならない離れないキャップ、回転消しゴム取り付け図
【符号の説明】
【００１１】１．上キャップ回転軸２．下キャップ回転軸、下キャップと本体が混じり合わせる位置に回転軸が来たときに回転して回転軸を混じり合わせてキャップを開け閉めすることが出来ます。３．キャップ固定枠４．本体固定枠５．キャップ６  本体７  内側回転軸８  消しゴム用キャップ回転軸９  回転出し入れ消しゴム１０  回転出し入れ消しゴム固定
【手続補正４】
【補正対象書類名】図面
【補正対象項目名】全図
【補正方法】変更
【補正の内容】
【図１】
0003212151.tif 000005
【図２】
0003212151.tif 000006
【図３】
0003212151.tif 000007
【図４】
0003212151.tif 000008
【手続補正書】
【提出日】平成29年6月22日(2017.6.22)
【手続補正１】
【補正対象書類名】実用新案登録請求の範囲
【補正対象項目名】全文
【補正方法】変更
【補正の内容】
【実用新案登録請求の範囲】
【請求項１】
後部にキャップを有するシャープペンシルであって、該キャップが、シャープペンシルの本体に繋留される機構により繋留されているシャープペンシル。